(57)【特許請求の範囲】
【請求項１】
測定対象を示す測定対象像が複数の当該測定対象のそれぞれの位置に対応して並べられた画像の画像データ、および当該各測定対象についての測定値が記録された測定結果データを記憶する記憶部と、
前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部と、
前記各測定対象を撮像して撮像データを出力する撮像部とを備え、
前記処理部は、前記撮像部から出力された前記撮像データを前記画像データとして前記記憶部に記憶させ、記憶させた当該画像データに基づいて前記画像を前記表示部に表示させると共に、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行する測定データ処理装置。
【請求項２】
前記記憶部は、前記各測定対象に対して個別的に付与された識別符号が当該各測定対象に関連付けて記録された第１の関連付けデータ、および当該識別符号が前記測定順序に関連付けて記録された第２の関連付けデータを記憶し、
前記処理部は、最初の前記第１の処理の開始に先立ち、前記識別符号を示す識別符号表示が配設された前記各測定対象が前記撮像部によって撮像された前記撮像データを画像解析処理して当該識別符号表示の前記識別符号をそれぞれ特定する処理Ａと、特定した前記識別符号が付与されている前記測定対象を前記第１の関連付けデータに基づいて特定する処理Ｂと、特定した前記識別符号に関連付けられている前記測定順序を前記第２の関連付けデータに基づいて特定する処理Ｃとを実行する請求項１記載の測定データ処理装置。
【請求項３】
前記処理部は、前記画像データに基づく前記画像を前記表示部に表示させている状態で前記各測定対象像および当該画像上における当該各測定対象像の表示位置のいずれか予め規定された一方を順次指定する第２の指定操作が行われたときに、当該第２の指定操作が行われた順序に従って指定された当該一方に対応する前記測定対象の前記測定順序を規定する請求項１または２のいずれかに記載の測定データ処理装置。
【請求項４】
前記記憶部は、前記各測定対象について過去に測定された前記測定値を含む履歴データを記憶し、
前記処理部は、予め規定された操作が行われたときに前記履歴データに基づいて前記測定対象についての前記過去に測定された測定値を前記表示部に表示させる請求項１から３のいずれかに記載の測定データ処理装置。
【請求項５】
前記処理部は、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する請求項１から４のいずれかに記載の測定データ処理装置。
【請求項６】
測定対象を示す測定対象像が複数の当該測定対象のそれぞれの位置に対応して並べられた画像の画像データ、および当該各測定対象についての測定値が記録された測定結果データを記憶する記憶部と、
前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部とを備え、
前記処理部は、前記画像データに基づく前記画像を前記表示部に表示させている状態で前記各測定対象像および当該画像上における当該各測定対象像の表示位置のいずれか予め規定された一方を順次指定する第２の指定操作が行われたときに、当該第２の指定操作が行われた順序に従って指定された当該一方に対応する前記測定対象の前記測定順序を規定し、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行する測定データ処理装置。
【請求項７】
前記記憶部は、前記各測定対象について過去に測定された前記測定値を含む履歴データを記憶し、
前記処理部は、予め規定された操作が行われたときに前記履歴データに基づいて前記測定対象についての前記過去に測定された測定値を前記表示部に表示させる請求項６記載の測定データ処理装置。
【請求項８】
前記処理部は、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する請求項６または７記載の測定データ処理装置。
【請求項９】
測定対象を示す測定対象像が複数の当該測定対象のそれぞれの位置に対応して並べられた画像の画像データ、および当該各測定対象についての測定値が記録された測定結果データを記憶する記憶部と、
前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部とを備え、
前記記憶部は、前記各測定対象について過去に測定された前記測定値を含む履歴データを記憶し、
前記処理部は、予め規定された操作が行われたときに前記履歴データに基づいて前記測定対象についての前記過去に測定された測定値を前記表示部に表示させ、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行する測定データ処理装置。
【請求項１０】
前記処理部は、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する請求項９記載の測定データ処理装置。
【請求項１１】
測定対象を示す測定対象像が複数の当該測定対象のそれぞれの位置に対応して並べられた画像の画像データ、および当該各測定対象についての測定値が記録された測定結果データを記憶する記憶部と、
前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部とを備え、
前記処理部は、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行し、かつ当該第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する測定データ処理装置。
【請求項１２】
前記処理部は、前記画像データに基づいて前記画像を表示部に表示させるときに、前記各測定対象に対して指定された前記測定順序を特定可能な順序表示を対応する当該測定対象の前記測定対象像にそれぞれ関連付けて表示させる請求項１から１１のいずれかに記載の測定データ処理装置。
【請求項１３】
前記処理部は、前記測定値の取得が完了していない前記測定対象のなかで前記測定順序が最も早い当該測定対象に対応する前記順序表示を前記特定用表示として、対応する当該測定対象の当該測定順序が最も早い順序ではないときの第１の表示態様とは異なる第２の表示態様で表示する請求項１２記載の測定データ処理装置。
【請求項１４】
前記測定対象についての測定処理を実行可能に構成された測定装置から送信される測定値データを受信可能な通信部を備え、
前記処理部は、前記第１の処理においていずれかの前記測定対象像に関連付けて前記特定用表示を表示させている状態で前記通信部によって前記測定値データが受信されたときに、前記測定値の取得が完了したとして前記第２の処理を実行して当該測定値データの値を対応する前記測定対象についての前記測定値として前記測定結果データに記録する請求項１から１３のいずれかに記載の測定データ処理装置。
【請求項１５】
前記処理部は、前記第１の処理においていずれかの前記測定対象像に関連付けて前記特定用表示を表示させている状態で前記測定値の入力操作が行われたときに、前記測定値の取得が完了したとして前記第２の処理を実行して当該入力操作によって入力された当該測定値を対応する前記測定対象についての前記測定値として前記測定結果データに記録する請求項１から１４のいずれかに記載の測定データ処理装置。
【請求項１６】
前記処理部は、いずれかの前記測定対象についての前記測定値の取得が完了したときに、当該測定値の取得が完了したことを特定可能に報知する報知処理を実行する請求項１から１５のいずれかに記載の測定データ処理装置。
【請求項１７】
前記処理部は、前記報知処理において、取得が完了した測定値を特定可能な音声メッセージを出力する請求項１６記載の測定データ処理装置。
【請求項１８】
前記各測定対象についての測定を実行可能に構成された測定装置と、請求項１から１７のいずれかに記載の測定データ処理装置とを備えて構成されている測定システム。
【請求項１９】
測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行すると共に、前記各測定対象を撮像して撮像データを出力する撮像部から出力された当該撮像データを前記画像データに基づいて前記画像を前記表示部に表示させるように当該各処理の実行手順が記録されている測定データ処理用プログラム。
【請求項２０】
測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行するように当該各処理の実行手順が記録され、かつ前記画像データに基づく前記画像を前記表示部に表示させている状態で前記各測定対象像および当該画像上における当該各測定対象像の表示位置のいずれか予め規定された一方を順次指定する第２の指定操作が行われたときに、当該第２の指定操作が行われた順序に従って指定された当該一方に対応する前記測定対象の前記測定順序を規定する処理の実行手順が記録されている測定データ処理用プログラム。
【請求項２１】
測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行するように当該各処理の実行手順が記録されると共に、予め規定された操作が行われたときに、前記各測定対象について過去に測定された前記測定値を含む履歴データに基づいて当該測定対象についての当該過去に測定された測定値を前記表示部に表示させる処理の実行手順が記録されている測定データ処理用プログラム。
【請求項２２】
測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行し、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行するように当該各処理の実行手順が記録されている測定データ処理用プログラム。
【請求項２３】
前記画像データに基づいて前記画像を表示部に表示させるときに、前記各測定対象に対して指定された前記測定順序を特定可能な順序表示を対応する当該測定対象の前記測定対象像にそれぞれ関連付けて表示させる処理の実行手順が記録されている請求項１９から２２のいずれかに記載の測定データ処理用プログラム。
【発明の詳細な説明】
【技術分野】
【０００１】
本発明は、測定装置によって測定された複数の測定対象についての測定値を順次記録して測定値データを生成する処理を実行可能な測定データ処理装置、そのような測定データ処理装置および測定装置を備えて構成された測定システム、並びに測定値データを生成する上記の処理を測定データ処理装置の処理部に実行させる測定データ処理用プログラムに関するものである。
【背景技術】
【０００２】
例えば、電源設備等の保守作業に際しては、保守対象が設置されている現場に電力計などの測定装置を携行して保守対象の消費電力等を測定し、その測定結果を報告書に記入して現場から持ち帰って顧客（電源設備の所有者等）に提出したり、測定結果を記入した紙片を持ち帰ってパーソナルコンピュータ等を使用して報告書を作成して顧客に提出したりする業務が広く行われている。しかしながら、手書きの報告書では、机や倚子等が存在しない現場において綺麗な文字で測定結果を報告書に記入するのが困難であるため、報告書を見た者に測定結果を正しく認識させるのが困難となることがある。また、測定結果を記入した紙片を持ち帰ってパーソナルコンピュータ等を使用して報告書を作成する場合においても、現場において綺麗な文字で測定結果を紙片に記入するのが困難であるため、持ち帰った紙片に記入されている測定結果を誤認して測定結果を誤って入力した報告書が作成されるおそれがある。
【０００３】
一方、上記のような不都合を解消すべく、特開２００７−７８５２３号公報には、測定器（クランプメータ等）に通信機能を付加することにより、測定を行う現場において測定器からＰＤＡ（個人用携帯端末）に測定結果を伝送させてＰＤＡにおいて報告書を作成したり、測定結果を記憶させたＰＤＡを持ち帰ってＰＤＡからパーソナルコンピュータ等に測定結果を伝送してパーソナルコンピュータ等において報告書を作成したりすることが可能な移動データ蒐集システム（以下、単に「蒐集システム」ともいう）が開示されている。
【０００４】
この蒐集システムによる測定および報告書の作成に際しては、まず、測定器およびＰＤＡを現場に携行して通信ケーブルを用いて相互に接続すると共に、ＰＤＡの表示部にシート（報告書の様式）を表示させる。次いで、ＰＤＡに表示させたシートにおける任意のセルを選択した後に測定器のホールド釦を操作する。この際には、測定器による測定結果が通信ケーブルを介してＰＤＡに伝送され、その時点において選択されているセルに測定結果の値が入力される。このようなセルの選択およびホールド釦の操作を必要に応じて交互に実行することにより、ＰＤＡのシートにおける各セルに保守対象についての測定結果が順次入力される。
【０００５】
次いで、測定器からＰＤＡを切り離すと共に、ＰＤＡの操作部を操作して各種の情報（測定時の天候等）を入力する。これにより、各セルに入力されている測定結果と相俟って報告書のデータが生成される。この報告書のデータをＰＤＡからプリンターに出力することにより、顧客に提出可能な報告書が完成する。一方、この蒐集システムでは、ＰＤＡに記憶されている報告書のデータをＩＣメモリ等（リムーバブルメモリ）を介してパーソナルコンピュータに転送し、パーソナルコンピュータにおいて報告書を編集した後に印刷して提出することもできる。これにより、この蒐集システムでは、測定結果を報告書や紙片に手書き記入することなく、測定器による測定結果を正しく認識させ得る報告書を作成することが可能となっている。
【先行技術文献】
【特許文献】
【０００６】
【特許文献１】特開２００７−７８５２３号公報（第３−４頁、第１−３図）
【発明の概要】
【発明が解決しようとする課題】
【０００７】
ところが、従来の蒐集システムには、以下の解決すべき問題点が存在する。すなわち、従来の蒐集システムでは、保守対象の名称、測定内容（測定項目名）および測定結果などを行列形式（表形式）で並べたシートをＰＤＡの表示部に表示させ、そのシートの各セル内に測定結果を順次入力して報告書を作成する構成が採用されている。
【０００８】
この場合、一例として、配電盤に搭載された複数のブレーカを測定対象として、これらに印加されている電圧の電圧値を測定して報告書を作成する際に、従来の蒐集システムでは、ブレーカ名、および各ブレーカ毎の電圧値が表形式で並んで記された入力画面に測定値を入力することで報告書が作成される。このため、この蒐集システムの使用に不慣れな者が、複数のブレーカについての電圧値を順次測定して測定値（電圧値）をＰＤＡのシートに入力する際に、測定を行おうとしているブレーカとは相違するブレーカについての測定値を入力するセルを選択した状態で測定器のホールド釦を操作してしまい、結果として、ホールド釦の操作によって測定器からＰＤＡに送信される測定値（電圧値）が、測定を行ったブレーカとは相違するブレーカについての測定値を入力するセルに入力されてしまうおそれがある。
【０００９】
したがって、測定対象が複数存在するときには、測定器から送信される測定値が入力されるセルと、測定を行う測定対象との対応関係を正確に把握しつつ、各測定対象についての測定値の入力セルの選択およびホールド釦の操作を慎重に行う必要がある。このため、複数の測定対象についての測定値を記録した報告書を短時間で作成するのが困難になっているという問題点がある。また、例えば、見た目が同じ複数のブレーカを測定対象とするときには、シート上のセルと、測定を行う各ブレーカとの対応関係を把握するのが困難となるため、上記のような測定値の入力ミス（セルの選択ミス）を確実に防止するのが困難となっているという問題点もある。
【００１０】
本発明は、かかる問題点に鑑みてなされたものであり、複数の測定対象についての測定値を正確かつ容易に記録し得る測定データ処理装置、測定システムおよび測定データ処理用プログラムを提供することを主目的とする。
【課題を解決するための手段】
【００１１】
上記目的を達成すべく請求項１記載の測定データ処理装置は、測定対象を示す測定対象像が複数の当該測定対象のそれぞれの位置に対応して並べられた画像の画像データ、および当該各測定対象についての測定値が記録された測定結果データを記憶する記憶部と、前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部と、前記各測定対象を撮像して撮像データを出力する撮像部とを備え、前記処理部は、前記撮像部から出力された前記撮像データを前記画像データとして前記記憶部に記憶させ、記憶させた当該画像データに基づいて前記画像を前記表示部に表示させると共に、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行する。
また、請求項６記載の測定データ処理装置は、測定対象を示す測定対象像が複数の当該測定対象のそれぞれの位置に対応して並べられた画像の画像データ、および当該各測定対象についての測定値が記録された測定結果データを記憶する記憶部と、前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部とを備え、前記処理部は、前記画像データに基づく前記画像を前記表示部に表示させている状態で前記各測定対象像および当該画像上における当該各測定対象像の表示位置のいずれか予め規定された一方を順次指定する第２の指定操作が行われたときに、当該第２の指定操作が行われた順序に従って指定された当該一方に対応する前記測定対象の前記測定順序を規定し、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行する。
また、請求項９記載の測定データ処理装置は、測定対象を示す測定対象像が複数の当該測定対象のそれぞれの位置に対応して並べられた画像の画像データ、および当該各測定対象についての測定値が記録された測定結果データを記憶する記憶部と、前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部とを備え、前記記憶部は、前記各測定対象について過去に測定された前記測定値を含む履歴データを記憶し、前記処理部は、予め規定された操作が行われたときに前記履歴データに基づいて前記測定対象についての前記過去に測定された測定値を前記表示部に表示させ、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行する。
また、請求項１１記載の測定データ処理装置は、測定対象を示す測定対象像が複数の当該測定対象のそれぞれの位置に対応して並べられた画像の画像データ、および当該各測定対象についての測定値が記録された測定結果データを記憶する記憶部と、前記各測定対象に対して測定順序がそれぞれ指定されている状態において、前記画像データに基づいて前記画像を表示部に表示させると共に、前記測定値の取得が完了していない前記測定対象のなかで前記測定順序が最も早い当該測定対象の前記測定対象像を特定可能な特定用表示を当該測定対象像に関連付けて表示させる第１の処理を実行する処理部とを備え、前記処理部は、いずれかの前記測定対象像に関連付けて前記特定用表示を表示させている状態で当該いずれかの測定対象像に対応する前記測定対象についての前記測定値の取得が完了したときに、取得した当該測定値を当該測定対象に対応させて前記測定結果データに記録する第２の処理を実行すると共に前記第１の処理を再び実行し、かつ当該第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する。
【００１２】
また、請求項１２記載の測定データ処理装置は、請求項１から１１のいずれかに記載の測定データ処理装置において、前記処理部は、前記画像データに基づいて前記画像を表示部に表示させるときに、前記各測定対象に対して指定された前記測定順序を特定可能な順序表示を対応する当該測定対象の前記測定対象像にそれぞれ関連付けて表示させる。
【００１３】
また、請求項１３記載の測定データ処理装置は、請求項１２記載の測定データ処理装置において、前記処理部は、前記測定値の取得が完了していない前記測定対象のなかで前記測定順序が最も早い当該測定対象に対応する前記順序表示を前記特定用表示として、対応する当該測定対象の当該測定順序が最も早い順序ではないときの第１の表示態様とは異なる第２の表示態様で表示する。
【００１４】
さらに、請求項１４記載の測定データ処理装置は、請求項１から１３のいずれかに記載の測定データ処理装置において、前記測定対象についての測定処理を実行可能に構成された測定装置から送信される測定値データを受信可能な通信部を備え、前記処理部は、前記第１の処理においていずれかの前記測定対象像に関連付けて前記特定用表示を表示させている状態で前記通信部によって前記測定値データが受信されたときに、前記測定値の取得が完了したとして前記第２の処理を実行して当該測定値データの値を対応する前記測定対象についての前記測定値として前記測定結果データに記録する。
【００１５】
また、請求項１５記載の測定データ処理装置は、請求項１から１４のいずれかに記載の測定データ処理装置において、前記処理部は、前記第１の処理においていずれかの前記測定対象像に関連付けて前記特定用表示を表示させている状態で前記測定値の入力操作が行われたときに、前記測定値の取得が完了したとして前記第２の処理を実行して当該入力操作によって入力された当該測定値を対応する前記測定対象についての前記測定値として前記測定結果データに記録する。
【００１６】
また、請求項５記載の測定データ処理装置は、請求項１から４のいずれかに記載の測定データ処理装置において、前記処理部は、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する。
また、請求項８載の測定データ処理装置は、請求項６または７記載の測定データ処理装置において、前記処理部は、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する。
また、請求項１０記載の測定データ処理装置は、請求項９記載の測定データ処理装置において、前記処理部は、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行する。
【００１７】
さらに、請求項１６記載の測定データ処理装置は、請求項１から１５のいずれかに記載の測定データ処理装置において、前記処理部は、いずれかの前記測定対象についての前記測定値の取得が完了したときに、当該測定値の取得が完了したことを特定可能に報知する報知処理を実行する。
【００１８】
また、請求項１７記載の測定データ処理装置は、請求項１６記載の測定データ処理装置において、前記処理部は、前記報知処理において、取得が完了した測定値を特定可能な音声メッセージを出力する。
【００１９】
さらに、請求項３記載の測定データ処理装置は、請求項１または２記載の測定データ処理装置において、前記処理部は、前記画像データに基づく前記画像を前記表示部に表示させている状態で前記各測定対象像および当該画像上における当該各測定対象像の表示位置のいずれか予め規定された一方を順次指定する第２の指定操作が行われたときに、当該第２の指定操作が行われた順序に従って指定された当該一方に対応する前記測定対象の前記測定順序を規定する。
【００２１】
さらに、請求項２記載の測定データ処理装置は、請求項１記載の測定データ処理装置において、前記記憶部は、前記各測定対象に対して個別的に付与された識別符号が当該各測定対象に関連付けて記録された第１の関連付けデータ、および当該識別符号が前記測定順序に関連付けて記録された第２の関連付けデータを記憶し、前記処理部は、最初の前記第１の処理の開始に先立ち、前記識別符号を示す識別符号表示が配設された前記各測定対象が前記撮像部によって撮像された前記撮像データを画像解析処理して当該識別符号表示の前記識別符号をそれぞれ特定する処理Ａと、特定した前記識別符号が付与されている前記測定対象を前記第１の関連付けデータに基づいて特定する処理Ｂと、特定した前記識別符号に関連付けられている前記測定順序を前記第２の関連付けデータに基づいて特定する処理Ｃとを実行する。
【００２２】
また、請求項４記載の測定データ処理装置は、請求項１から３のいずれかに記載の測定データ処理装置において、前記記憶部は、前記各測定対象について過去に測定された前記測定値を含む履歴データを記憶し、前記処理部は、予め規定された操作が行われたときに前記履歴データに基づいて前記測定対象についての前記過去に測定された測定値を前記表示部に表示させる。
また、請求項７記載の測定データ処理装置は、請求項６記載の測定データ処理装置において、前記記憶部は、前記各測定対象について過去に測定された前記測定値を含む履歴データを記憶し、前記処理部は、予め規定された操作が行われたときに前記履歴データに基づいて前記測定対象についての前記過去に測定された測定値を前記表示部に表示させる。
【００２３】
また、請求項１８記載の測定システムは、前記各測定対象についての測定を実行可能に構成された測定装置と、請求項１から１７のいずれかに記載の測定データ処理装置とを備えて構成されている。
【００２４】
また、請求項１９記載の測定データ処理用プログラムは、測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行すると共に、前記各測定対象を撮像して撮像データを出力する撮像部から出力された当該撮像データを前記画像データに基づいて前記画像を前記表示部に表示させるように当該各処理の実行手順が記録されている。
また、請求項２０記載の測定データ処理用プログラムは、測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行するように当該各処理の実行手順が記録され、かつ前記画像データに基づく前記画像を前記表示部に表示させている状態で前記各測定対象像および当該画像上における当該各測定対象像の表示位置のいずれか予め規定された一方を順次指定する第２の指定操作が行われたときに、当該第２の指定操作が行われた順序に従って指定された当該一方に対応する前記測定対象の前記測定順序を規定する処理の実行手順が記録されている。
また、請求項２１記載の測定データ処理用プログラムは、測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行するように当該各処理の実行手順が記録されると共に、予め規定された操作が行われたときに、前記各測定対象について過去に測定された前記測定値を含む履歴データに基づいて当該測定対象についての当該過去に測定された測定値を前記表示部に表示させる処理の実行手順が記録されている。
また、請求項２２記載の測定データ処理用プログラムは、測定順序がそれぞれ指定されている複数の当該測定対象のそれぞれの位置に対応して当該測定対象を示す測定対象像が並べられた画像の画像データに基づいて当該画像を表示部に表示させると共に、測定値の取得が完了していない前記測定対象のなかで前記測定順序が最も早い当該測定対象の前記測定対象像を特定可能な特定用表示を当該測定対象像に関連付けて表示させる第１の処理と、いずれかの前記測定対象像に関連付けて前記特定用表示を表示させている状態で当該いずれかの測定対象像に対応する前記測定対象についての前記測定値の取得が完了したときに取得した当該測定値を当該測定対象に対応させて測定結果データに記録する第２の処理とを測定データ処理装置の処理部に実行させる手順が記録されると共に、前記第１の処理および前記第２の処理を実行し、かつ当該第２の処理の完了後に当該第１の処理を再び実行し、前記第１の処理においていずれかの前記測定対象像に関連付けて前記特定用表示を表示させている状態で前記測定値の取得が完了している前記測定対象を指定する第１の指定操作が行われたときに、指定された当該測定対象についての前記測定値の取得が完了していないものとして前記第１の処理を再び実行するように当該各処理の実行手順が記録されている。
【００２５】
さらに、請求項２３記載の測定データ処理用プログラムは、請求項１９から２２のいずれかに記載の測定データ処理用プログラムにおいて、前記画像データに基づいて前記画像を表示部に表示させるときに、前記各測定対象に対して指定された前記測定順序を特定可能な順序表示を対応する当該測定対象の前記測定対象像にそれぞれ関連付けて表示させる処理の実行手順が記録されている。
【発明の効果】
【００２６】
請求項１，６，９，１１記載の測定データ処理装置では、複数の測定対象に対して測定順序がそれぞれ指定されている状態において、処理部が、各測定対象のそれぞれの位置に対応して測定対象像が並べられた画像を表示部に表示させると共に、測定値の取得が完了していない測定対象のなかで測定順序が最も早い測定対象の測定対象像を特定可能な特定用表示を測定対象像に関連付けて表示させる第１の処理、およびいずれかの測定対象像に関連付けて特定用表示を表示させている状態で、その測定対象像に対応する測定対象についての測定値の取得が完了したときに、取得した測定値を測定対象に対応させて測定結果データに記録する第２の処理を実行すると共に第１の処理を再び実行する。また、請求項１８記載の測定システムでは、各測定対象についての測定を実行可能に構成された測定装置と、上記のような測定データ処理装置とを備えて構成されている。さらに、請求項１９〜２２記載の測定データ処理用プログラムでは、上記の第１の処理や第２の処理の実行手順が記録されている。
【００２７】
したがって、請求項１，６，９，１１記載の測定データ処理装置、請求項１８記載の測定システム、および請求項１９〜２２記載の測定データ処理用プログラムによれば、各測定対象についての測定を順次実行する際に、特定用表示がいずれの測定対象像に関連付けられて表示されているかに基づき、いずれの測定対象についての測定を行うべきかを正確かつ容易に把握することができる。これにより、この種の装置を使用した測定作業に不慣れな利用者であっても、各測定対象についての測定値を正確かつ容易に記録して測定結果データを生成することができる。
【００２８】
請求項１２記載の測定データ処理装置、そのような測定データ処理装置を備えた測定システム、および請求項２３記載の測定データ処理用プログラムによれば、画像データに基づいて画像を表示部に表示させるときに、各測定対象に対して指定された測定順序を特定可能な順序表示を対応する測定対象の測定対象像にそれぞれ関連付けて表示させることにより、順序表示およびその表示位置を参照することで、各順序表示が関連付けられて表示されている測定対象像に対応する測定対象についての測定順序を正確かつ容易に把握することができる。
【００２９】
請求項１３記載の測定データ処理装置、そのような測定データ処理装置を備えた測定システム、および請求項１３記載の測定データ処理装置に実行させる各処理の手順が記録された測定データ処理用プログラムによれば、測定値の取得が完了していない測定対象のなかで測定順序が最も早い測定対象に対応する順序表示を特定用表示として、対応する測定対象の測定順序が最も早い順序ではないときの第１の表示態様とは異なる第２の表示態様で表示することにより、順序表示とは別個に特定用表示を表示させる構成・処理手順とは異なり、画像に重ねて表示される表示要素の数を少なくすることができるため、過剰に多くの表示要素を画像に重ねて表示させることで各測定対象の測定対象像の視認が困難となる事態を招くことなく、各測定対象についての測定順序、およびこれから測定を行うべき測定対象についての測定対象像を確実かつ容易に把握することができる。
【００３０】
請求項１４記載の測定データ処理装置、そのような測定データ処理装置を備えた測定システム、および請求項１４記載の測定データ処理装置に実行させる各処理の手順が記録された測定データ処理用プログラムによれば、第１の処理においていずれかの測定対象像に関連付けて特定用表示を表示させている状態で通信部によって測定値データが受信されたときに、測定値の取得が完了したとして第２の処理を実行することにより、測定装置によって測定された測定値を手動で測定データ処理装置に入力する構成・処理手順とは異なり、測定値の入力ミスを好適に回避することができるだけでなく、各測定対象についての測定値を短時間で容易に記録することができきる。
【００３１】
請求項１５記載の測定データ処理装置、そのような測定データ処理装置を備えた測定システム、および請求項１５記載の測定データ処理装置に実行させる各処理の手順が記録された測定データ処理用プログラムによれば、第１の処理においていずれかの測定対象像に関連付けて特定用表示を表示させている状態で測定値の入力操作が行われたときに、測定値の取得が完了したとして第２の処理を実行することにより、測定装置と測定データ処理装置との間の通信が困難な環境下においても、各測定対象についての測定値を正確かつ容易に記録して測定結果データを生成することができる。
【００３２】
請求項５，８，１０，１１記載の測定データ処理装置、そのような測定データ処理装置を備えた測定システム、および請求項２２記載の測定データ処理用プログラムによれば、第１の処理においていずれかの測定対象像に関連付けて特定用表示を表示させている状態で測定値の取得が完了している測定対象を指定する第１の指定操作が行われたときに、指定された測定対象についての測定値の取得が完了していないものとして第１の処理を再び実行することにより、利用者が、記録された測定値が正常ではないと判断したときに、その測定値が得られた測定対象についての測定だけを何度でもやり直すことができるため、各測定対象についての測定値を一層正確に記録することができる。
【００３３】
請求項１６記載の測定データ処理装置、そのような測定データ処理装置を備えた測定システム、および請求項１６記載の測定データ処理装置に実行させる各処理の手順が記録された測定データ処理用プログラムによれば、いずれかの測定対象についての測定値の取得が完了したときに、測定値の取得が完了したことを特定可能に報知する報知処理を実行することにより、測定データ処理装置を操作して、測定値の記録が完了しているか否かを確認しなくても、測定を行った測定対象についての測定値の記録が完了したか否かを容易に把握し、次の測定対象についての測定を迅速に開始することができるため、各測定対象についての測定値の記録を短時間で完了させることができる。
【００３４】
請求項１７記載の測定データ処理装置、そのような測定データ処理装置を備えた測定システム、および請求項１７記載の測定データ処理装置に実行させる各処理の手順が記録された測定データ処理用プログラムによれば、報知処理において、取得が完了した測定値を特定可能な音声メッセージを出力することにより、測定データ処理装置からある程度離れた場所（測定データ処理装置の表示部の視認が困難な程度に離れた場所）で測定装置による測定作業を実行しているときであっても、測定データ処理装置において各測定対象についての測定値の記録が完了したか否かを容易に把握することができる。
【００３５】
請求項３，６記載の測定データ処理装置、そのような測定データ処理装置を備えた測定システム、および請求項２０記載の測定データ処理用プログラムによれば、各測定対象像および画像上における各測定対象像の表示位置のいずれか予め規定された一方を指定する第２の指定操作が行われたときに、第２の指定操作が行われた順序に従って指定された一方に対応する測定対象の測定順序を規定することにより、例えば、利用者以外の者が予め決定した測定順序に従って各測定対象についての測定を順次実行するのと比較して、各測定対象についての測定順序を利用者の好みに応じて任意に指定することができ、しかも、その指定操作が非常に容易であるため、各測定対象についての測定をスムーズに実行することができる。
【００３６】
請求項１記載の測定データ処理装置、そのような測定データ処理装置を備えた測定システム、および請求項１９記載の測定データ処理用プログラムによれば、撮像部から出力された撮像データを画像データとして記憶部に記憶させ、記憶させた画像データに基づいて画像を表示部に表示させることにより、測定対象像を描いた画像データを測定作業等に先立って生成する煩雑な作業を行うことなく、撮像部によって各測定対象を撮像するだけで、各測定対象像を含む画像を測定データ処理装置の表示部に容易に表示させることができる。また、測定対象像を描いた画像データを使用するのとは異なり、実際に測定を行う各測定対象を撮像した撮像データを画像データとして使用して画像を表示させることで、特定用表示の表示位置に基づき、次に測定を行う測定対象の位置などを正確かつ容易に把握することができる。
【００３７】
請求項２記載の測定データ処理装置、そのような測定データ処理装置を備えた測定システム、および請求項２記載の測定データ処理装置に実行させる各処理の手順が記録された測定データ処理用プログラムでは、最初の第１の処理の開始に先立ち、識別符号を示す識別符号表示が配設された各測定対象が撮像部によって撮像された撮像データを画像解析処理して識別符号表示の識別符号をそれぞれ特定する処理Ａと、特定した識別符号が付与されている測定対象を第１の関連付けデータに基づいて特定する処理Ｂと、特定した識別符号に関連付けられている測定順序を第２の関連付けデータに基づいて特定する処理Ｃとを実行する。
【００３８】
したがって、請求項２記載の測定データ処理装置、そのような測定データ処理装置を備えた測定システム、および請求項２記載の測定データ処理装置に実行させる各処理の手順が記録された測定データ処理用プログラムによれば、各測定対象に識別符号表示を配設し、第１の関連付けデータおよび第２の関連付けデータを測定データ処理装置に記憶させておくことで、撮像部によって各測定対象を撮像するだけで、各測定対象に対して規定された測定順序などが自動的に特定されるため、この種の装置に不慣れな利用者であっても、各測定対象についての測定値を正確かつ容易に記録して測定結果データを生成することができる。
【００３９】
請求項４，７，９記載の測定データ処理装置、そのような測定データ処理装置を備えた測定システム、および請求項２１記載の測定データ処理用プログラムによれば、予め規定された操作が行われたときに、履歴データに基づいて測定対象についての過去に測定された測定値を表示部に表示させることにより、例えば、測定された測定値が、想定している値とは異なるときに、過去に測定された測定値を参照することで、その測定値が正常であるか否か等を容易に把握することができる。
【図面の簡単な説明】
【００４０】
【図１】測定システム１００の構成を示す構成図である。
【図２】配電盤ＹにおけるブレーカＸａ〜Ｘｉの配置の一例について説明するための説明図である。
【図３】ブレーカＸａ〜Ｘｉの像３２ａ〜３２ｉを含む画像（配電盤Ｙの画像３１：カメラ２１によって撮像された撮像データＤ２の画像）の一例を示す図である。
【図４】測定作業支援画面３０ａの一例を示す表示画面図である。
【図５】マーカー３３−０１を像３２ａに重ねて表示させた状態の測定作業支援画面３０ａの表示画面図である。
【図６】マーカー３３−０１〜３３−０９を像３２ａ〜３２ｉに重ね、かつ測定対象情報表示４１内および測定結果表示４２内に必要事項を入力した状態の測定作業支援画面３０ａの表示画面図である。
【図７】１番目の測定対象についての測定を行う際の測定作業支援画面３０ｂの一例を示す表示画面図である。
【図８】２番目の測定対象についての測定を行う際の測定作業支援画面３０ｂの一例を示す表示画面図である。
【図９】配電盤Ｙ（ブレーカＸａ〜Ｘｉ）についての過去の測定値等を表示させた状態の測定結果表示画面３０ｃの一例を示す表示画面図である。
【図１０】９番目の測定対象についての測定が完了した際の測定作業支援画面３０ｂの一例を示す表示画面図である。
【図１１】ブレーカＸａ〜ＸｉにコードラベルＬａ〜Ｌｉを貼付した状態の配電盤Ｙについて説明するための説明図である。
【図１２】図１１に示す状態のブレーカＸａ〜Ｘｉの像３２ａ〜３２ｉおよびコードラベルＬａ〜Ｌｉの像３４ａ〜３４ｉを含む画像（配電盤Ｙの画像３１：カメラ２１によって撮像された撮像データＤ２の画像）の一例を示す図である。
【図１３】１番目の測定対象についての測定を行う際の測定作業支援画面３０ｄの一例を示す表示画面図である。
【図１４】１番目の測定対象についての測定を行う際の測定作業支援画面３０ｅの一例を示す表示画面図である。
【図１５】１番目の測定対象についての測定を行う際の測定作業支援画面３０ｆの一例を示す表示画面図である。
【発明を実施するための形態】
【００４１】
以下、本発明に係る測定データ処理装置、測定システムおよび測定データ処理用プログラムの実施の形態について、添付図面を参照して説明する。
【００４２】
図１に示す測定システム１００は、「測定システム」の一例であって、測定装置１、携帯情報端末２およびデータサーバ３を備えて構成されている。なお、以下の説明においては、「測定データ処理装置」、「測定システム」および「測定データ処理用プログラム」の発明についての理解を容易とするために、一例として、図２に示す配電盤Ｙに配設されているブレーカＸａ〜Ｘｉ（以下、これらを区別しないときには「ブレーカＸ」ともいう）を「測定対象」とし、これらに印加されている電圧の電圧値を測定値として測定するものとする。なお、実際の配電盤Ｙには、各ブレーカＸ以外の各種の機器やケーブルが配設されているが、測定システム１００を使用した測定作業についての理解を容易とするために、各ブレーカＸ以外の要素に関する図示および説明を省略する。
【００４３】
一方、測定装置１は、「測定装置」の一例であって、図示しない一対のテストリードを介して、測定対象についての電圧値、電流値および抵抗値などの各種の電気的パラメータを測定することができるように構成されている。具体的には、この測定装置１は、図１に示すように、測定部１１、通信部１２、操作部１３、表示部１４、スピーカ１５、処理部１６および記憶部１７を備えている。測定部１１は、処理部１６の制御に従い、テストリードを介して入力される信号に基づき、電圧値、電流値および抵抗値のうちの予め選択された１つを測定して測定値を示す測定値データＤ０を生成し、生成した測定値データＤ０を処理部１６に出力する。
【００４４】
通信部１２は、一例として、ブルートゥース（Bluetooth ：登録商標）規格などの近距離無線通信規格に準ずる無線通信が可能な通信アダプタで構成されている。この通信部１２は、処理部１６の制御に従い、携帯情報端末２などの各種無線通信機器との間で測定値データＤ０などの各種データを送受信する。操作部１３は、動作条件（測定条件）の入力操作が可能な操作スイッチを備え、スイッチ操作に応じた操作信号を処理部１６に出力する。表示部１４は、処理部１６の制御に従い、動作条件設定画面や測定結果表示画面等の各種の表示画面（図示せず）を表示する。スピーカ１５は、処理部１６の制御に従い、測定装置１の動作状態を報知するブザー音などを出力する。
【００４５】
処理部１６は、測定装置１を総括的に制御する。具体的には、処理部１６は、測定部１１を制御して測定処理を実行させる。また、処理部１６は、測定部１１から出力される測定値データＤ０を記憶部１７に記憶させる。さらに、処理部１６は、測定値データＤ０に基づいて特定される測定値を表示部１４に表示させると共に、測定値データＤ０の値が予め規定された条件を満たす状態となったときに、その測定値データＤ０を通信部１２から携帯情報端末２等の外部装置に送信させる。記憶部１７は、処理部１６の演算結果や測定値データＤ０などを記憶する。なお、電圧値、電流値および抵抗値に代えて（または、それらに加えて）、各種の物理量（電力量や位相などの電気的パラメータ、並びに温度、湿度、輝度（光度）、照度、歪み、雨量および流量等の各種パラメータ）を測定することが可能な「測定装置」を採用して測定システム１００を構成することもできる。
【００４６】
また、携帯情報端末２は、「測定データ処理装置」に相当し、一例として、測定データ処理用プログラムＤｐをインストールした既存のタブレット端末やスマートフォンで構成されている。この場合、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００４７】
具体的には、本例の測定システム１００では、一例として、携帯情報端末２は、タブレット端末で構成されており、カメラ２１、通信部２２ａ，２２ｂ、操作部２３、表示部２４、スピーカ２５、処理部２６および記憶部２７を備えている。なお、実際の携帯情報端末２は、上記の各構成要素２１〜２７の他に、「タブレット端末」としての機能を実現するための各種の構成要素を備えているが、本願発明についての理解を容易とするために、これらの構成要素についての図示および説明を省略する。
【００４８】
カメラ２１は、「撮像部」の一例であって、各ブレーカＸ等の「測定対象」を撮像して撮像データＤ２（「画像データ」としての「撮像データ」の一例）を生成し、生成した撮像データＤ２を処理部２６に出力する。通信部２２ａは、一例として、前述した測定装置１の通信部１２と同様にしてブルートゥース等の近距離無線通信規格に準ずる無線通信が可能な通信アダプタで構成されている。この通信部２２ａは、「通信部」の一例であって、処理部２６の制御に従い、後述するように測定装置１から送信される測定値データＤ０などの受信処理、および測定装置１に対する各種の制御信号の送信処理を実行する。通信部２２ｂは、携帯電話回線網などの通信ネットワークＮに接続可能に構成されると共に、処理部２６の制御に従い、通信ネットワークＮを介してデータサーバ３に接続して、測定結果データＤ３などのデータを送受信する。
【００４９】
操作部２３は、一例として、表示部２４の前面側に配設されたタッチパネルや、携帯情報端末２を「タブレット端末」としての機能させるための各種の操作スイッチを備え、操作に応じた操作信号を処理部２６に出力する。表示部２４は、一例として液晶表示パネルを備え、処理部２６の制御に従い、測定作業支援画面３０ａ（図４〜６）、測定作業支援画面３０ｂ（図７，８，１０）および測定結果表示画面３０ｃ（図９）などの各種の表示画面を表示する。
【００５０】
処理部２６は、「処理部」の一例であって、携帯情報端末２を総括的に制御する。具体的には、処理部２６は、測定データ処理用プログラムＤｐの記述に従い、カメラ２１を制御して各種の「測定対象」を撮像させると共に、カメラ２１から出力される撮像データＤ２を記憶部２７に記憶させる。また、処理部２６は、配電盤Ｙの撮像データＤ２に基づき、ブレーカＸａ〜Ｘｉの像３２ａ〜３２ｉ（「測定対象を示す測定対象像」の一例：以下、区別しないときには「像３２」ともいう）を含む画像３１（「画像」の一例：図３参照）を表示部２４の測定作業支援画面３０ａ、測定作業支援画面３０ｂおよび測定結果表示画面３０ｃなどに表示させる。
【００５１】
さらに、処理部２６は、例えば図４に示すように測定作業支援画面３０ａを表示部２４に表示させた状態において、後述するように利用者によって指定される各ブレーカＸに対して規定された「測定順序」を特定可能なマーカー３３−０１〜３３−２０（「順序表示」の一例：以下、区別しないときには「マーカー３３」ともいう）を対応する各ブレーカＸの像３２にそれぞれ関連付けて配電盤Ｙの画像３１に重ねて表示させると共に、後述する測定対象管理用データＤ１を生成して記憶部２７に記憶させる。なお、本例では、測定作業支援画面３０ａ（画像３１）を表示部２４に表示させる際に、各マーカー３３を像３２に関連付けて画像３１に重ねて表示させる処理が「順序表示を対応する測定対象の測定対象像にそれぞれ関連付けて表示させる」との処理に相当する。
【００５２】
また、処理部２６は、後述するように測定作業支援画面３０ａにおける設定終了ボタン４５の操作（測定装置１による各ブレーカＸについての測定を開始するときに行われる操作）に対応する操作信号が操作部２３から出力されたときに、図７に示すように、測定作業支援画面３０ａに代えて測定作業支援画面３０ｂを表示部２４に表示させる。さらに、処理部２６は、測定値の取得が完了していない各ブレーカＸのなかで「測定順序」が最も早い１つの像３２を特定可能な「特定用表示」を、その像３２に関連付けて画像３１に重ねて表示させる「第１の処理」を実行する。
【００５３】
この場合、本例の測定システム１００（携帯情報端末２）では、測定値の取得が完了していない各ブレーカＸのなかで「測定順序」が最も早い１つに対応するマーカー３３を「特定用表示」として、そのブレーカＸについての「測定順序」が最も早い順序ではないときの「第１の表示態様（一例として、点灯表示）」とは異なる「第２の表示態様（一例として、点滅表示）」で表示する構成（マーカー３３を「順序表示」および「特定用表示」として兼用する構成）が採用されている。
【００５４】
また、処理部２６は、測定装置１から送信された測定値データＤ０が通信部２２ａによって受信されたときに（「測定値の取得が完了したとき」としての「測定値データが受信されたとき」の一例）、その測定値データＤ０を記憶部２７に記憶させる。さらに、処理部２６は、記憶させた測定値データＤ０の値を、「特定用表示」として表示させているマーカー３３（「第２の表示態様（点滅表示）」で表示させているマーカー３３）に対応するブレーカＸについての測定値として図４に示す測定結果表示４２における測定値欄４２ｂ−０１〜４２ｂ−２０のうちの対応するセルに数値入力することで測定結果データＤ３に記録する「第２の処理」を実行する。
【００５５】
また、処理部２６は、利用者によって「測定結果」のデータサーバ３へのアップロード（送信）を指示されたときに、記憶部２７に記憶させている測定結果データＤ３を通信部２２ｂから通信ネットワークＮを介してデータサーバ３に送信して記録させる。また、処理部２６は、「測定結果」のダウンロード（受信）を指示する操作が行われたときに、通信部２２ｂを制御してデータサーバ３に通信ネットワークＮを介してアクセスし、必要な測定結果データＤ３を受信させて記憶部２７に記憶させる。なお、本例では、データサーバ３に記録された測定結果データＤ３、すなわち、過去の測定作業によって生成された測定結果データＤ３が「履歴データ」に相当する。
【００５６】
さらに、処理部２６は、「測定結果（測定履歴）」の閲覧を指示する操作が行われたときに、記憶部２７に記憶されている「履歴データ」としての測定結果データＤ３に基づき、図９に示す測定結果表示画面３０ｃ（「測定対象についての過去に測定された測定値」の一例）を表示部２４に表示させる。記憶部２７は、「記憶部」の一例であって、測定データ処理用プログラムＤｐ、測定値データＤ０、測定対象管理用データＤ１、撮像データＤ２および測定結果データＤ３などを記憶する。この場合、測定データ処理用プログラムＤｐや、各データＤ１〜Ｄ３などを記憶するための「記憶部」は、携帯情報端末２の内蔵メモリで構成された記憶部２７に限定されず、携帯情報端末２に装着された各種のリムーバブルメモリを使用することもできる。
【００５７】
データサーバ３は、一例として、測定装置１や携帯情報端末２の利用者が各ブレーカＸなどの「測定対象」についての測定結果データＤ３を保管するためのサーバであって、携帯情報端末２から送信された測定結果データＤ３の受信および記録処理、並びに携帯情報端末２や図示しない電子端末（パーソナルコンピュータ等）に対する測定結果データＤ３の送信処理を実行する。なお、データサーバ３については、この測定システム１００専用のサーバを用意して使用することもできるが、各測定結果データＤ３などを記録可能な既存のデータサーバをデータサーバ３として使用することもできる。また、データサーバ３を介さずに携帯情報端末２と電子端末（パーソナルコンピュータ等）との間で測定結果データＤ３を直接送受信する構成を採用することもできる。
【００５８】
次に、測定システム１００を用いた測定作業（測定結果データの生成処理）について、添付図面を参照して説明する。なお、携帯情報端末２への測定データ処理用プログラムＤｐのインストール作業や、測定装置１の通信部１２および携帯情報端末２の通信部２２ａの間におけるブルートゥースのペアリング作業については既に完了しているものとする。
【００５９】
まず、測定装置１および携帯情報端末２を配電盤Ｙの設置場所に携行し、携帯情報端末２において測定データ処理用プログラムＤｐを起動させる。この際には、図示しない初期画面が表示部２４に表示されるため、操作部２３（タッチパネル）の操作によって「測定対象の撮像」との項目を選択した後に、配電盤Ｙ（各ブレーカＸ）をカメラ２１によって撮像する。これにより、図３に示すように、「測定対象」としてのブレーカＸａ〜Ｘｉの像３２ａ〜３２ｉが各ブレーカＸａ〜Ｘｉの位置に対応して並んだ画像３１の撮像データＤ２がカメラ２１によって生成されて出力される。また、処理部２６は、カメラ２１から撮像データＤ２が出力されたときに、測定データ処理用プログラムＤｐの記述に従い、図４に示す測定作業支援画面３０ａを表示部２４に表示させる。
【００６０】
この測定作業支援画面３０ａは、後述する各ブレーカＸについての測定作業を支援する各種の情報、および各ブレーカＸについての測定値（本例では、電圧値）を表示するための画面であって、撮像データＤ２に基づく画像３１の他に、「測定対象」についての諸情報（配電盤Ｙの設置場所や、測定日時などに関する情報）が表示される測定対象情報表示４１、および各ブレーカＸの名称、測定値および備考等が表示される測定結果表示４２が並んで表示される。また、この測定作業支援画面３０ａには、「順序表示」としてのマーカー３３−０１〜３３−２０が画像３１の表示領域の外に並んで表示されると共に、履歴表示ボタン４３、キャンセルボタン４４および設定終了ボタン４５が表示される。
【００６１】
この場合、履歴表示ボタン４３は、各ブレーカＸについて過去に測定作業を行ったことがあるとき（過去に測定した際に生成した測定結果データＤ３が存在するとき）に、その測定作業において取得した各ブレーカＸについての測定値（測定履歴）を表示する測定結果表示画面３０ｃ（図９参照）を表示させる機能が付与されている。また、キャンセルボタン４４は、測定作業支援画面３０ａを閉じて前述した初期画面に戻る機能が付与されている。さらに、設定終了ボタン４５は、設定作業が完了した際に測定作業支援画面３０ａを閉じて測定作業支援画面３０ｂ（図７参照）を表示部２４に表示させる機能が付与されている。
【００６２】
なお、本例では、マーカー３３−０１〜３３−２０の２０個によって２０個の「測定対象」の「測定順序」を特定させると共に、測定結果表示４２の測定対象名欄４２ａ−０１〜４２ａ−２０（以下、区別しないときには「測定対象名欄４２ａ」ともいう）、測定値欄４２ｂ−０１〜４２ｂ−２０（以下、区別しないときには「測定値欄４２ｂ」ともいう）、および備考欄４２ｃ−０１〜４２ｃ−２０（以下、区別しないときには「備考欄４２ｃ」ともいう）の各２０個の欄（同図では、測定対象名欄４２ａ−０１〜４２ａ−０８、測定値欄４２ｂ−０１〜４２ｂ−０８および備考欄４２ｃ−０１〜４２ｃ−０８各８個の欄のみを表示）に２０個の各「測定対象」についての名称、測定値および備考などが入力される構成が採用されているが、これらの数は、「測定対象」の数に応じて任意の複数個に変更することができる。
【００６３】
次いで、各ブレーカＸの「測定順序」を決定する。具体的には、まず、操作部２３（タッチパネル）を操作することにより、各ブレーカＸの像３２のうちから、１番目に測定したい「測定対象」に対応する像３２を選択し、その像３２の表示位置に、「測定順序」が１番目であることを示すマーカー３３−０１を表示させる。より具体的には、一例として、ブレーカＸａを１番目の測定対象に指定したいときには、マーカー３３−０１を、ブレーカＸａの像３２ａの位置Ｐａまで矢印で示すようにドラッグする（「画像上における測定対象像の表示位置」の一例である位置Ｐａを「いずれか予め規定された一方」として指定する「第２の指定操作」）。これにより、図５に示すように、ブレーカＸａの像３２ａにマーカー３３−０１が重なって表示された状態となる。
【００６４】
また、本例の携帯情報端末２（測定データ処理用プログラムＤｐ）では、マーカー３３−０１を画像３１上のいずれかの位置（本例では、像３２ａ上の位置Ｐａ）に表示させたときに、一例として、１番目の「測定対象」の名称（測定対象名）を入力するための測定対象名欄４２ａ−０１に、文字列入力用のカーソル表示が点滅表示される。したがって、利用者は、「１番目の測定対象」であることを示すマーカー３３−０１を重ねた像３２ａに対応するブレーカＸａの名称（例えば、「メインブレーカ」との文字列）を入力する。また、必要に応じて、ブレーカＸａについての備考を備考欄４２ｃ−０１に入力する。これにより、１番目の「測定対象」についての設定作業が完了し、「画像３１における像３２ａの位置に描画される測定対象が１番目の測定対象であり、その名称が「メインブレーカ」である」との測定対象管理用データＤ１が処理部２６によって生成されて記憶部２７に記憶される。
【００６５】
次いで、「測定順序」が決まっていない各ブレーカＸの像３２のうちから、２番目に測定したい「測定対象」に対応する像３２を選択し、その像３２の表示位置に、「測定順序」が２番目であることを示すマーカー３３−０２を表示させる。この際に、一例として、ブレーカＸｂを２番目の測定対象に指定したいときには、マーカー３３−０２を、ブレーカＸｂの像３２ｂの位置Ｐｂまで矢印で示すようにドラッグする（「画像上における測定対象像の表示位置」の他の一例である位置Ｐｂを「いずれか予め規定された一方」として指定する「第２の指定操作」）。これにより、ブレーカＸｂの像３２ｂにマーカー３３−０２が重なって表示された状態となる（図示せず）。
【００６６】
また、マーカー３３−０２を画像３１上のいずれかの位置（本例では、像３２ｂ上の位置Ｐｂ）に表示させたときには、２番目の「測定対象」の名称（測定対象名）を入力するための測定対象名欄４２ａ−０２に、文字列入力用のカーソル表示が点滅表示される。したがって、利用者は、「２番目の測定対象」であることを示すマーカー３３−０２を重ねた像３２ｂに対応するブレーカＸｂの名称（例えば、「サブブレーカＡ−１」との文字列）を入力する。また、必要に応じて、ブレーカＸｂについての備考を備考欄４２ｃ−０２に入力する。これにより、２番目の「測定対象」についての設定作業が完了し、「画像３１における像３２ｂの位置に描画される測定対象が２番目の測定対象であり、その名称が「サブブレーカＡ−１」である」との事項が記憶部２７に記憶されている測定対象管理用データＤ１に追記される。
【００６７】
この後、測定順序が決まっていない各ブレーカＸｃ〜Ｘｉについても、対応する像３２ｃ〜３２ｉの表示位置にマーカー３３−０３〜３３−０９を重ねて表示させ、かつ各ブレーカＸｃ〜Ｘｉの名称を測定対象名欄４２ａ−０３〜４２ａ−０９に入力することにより、３番目から９番目までの「測定対象」についての設定作業が完了する。これにより、図６に示すように、マーカー３３−０１〜３３−０９が像３２ａ〜３２ｉに重なって表示され、かつ測定対象名欄４２ａ−０１〜４２ａ−０９にブレーカＸａ〜Ｘｉの名称が入力された状態となる。
【００６８】
なお、この状態において「測定順序」を変更する際には、マーカー３３の位置を任意に変更し、かつ対応する測定対象名欄４２ａの文字列を変更する。これにより、変更後の「測定順序」に対応する情報で測定対象管理用データＤ１が上書きされる。この後、各ブレーカＸ（配電盤Ｙ）の設置場所に関する情報や、後述する一連の測定作業を実行する日時を示す文字列を測定対象情報表示４１に入力することにより、各ブレーカＸについての測定作業を開始する準備が整う（「各測定対象に対して測定順序がそれぞれ指定されている状態」の一例）。
【００６９】
一方、測定作業を開始するには、測定装置１の電源を投入して電圧値の測定モードに切り替えると共に、携帯情報端末２の操作部２３（タッチパネル）の操作によって設定終了ボタン４５を操作する。この際に、処理部２６は、図７に示すように、測定作業支援画面３０ａに代えて測定作業支援画面３０ｂを表示部２４に表示させると共に、測定装置１から測定値データＤ０が送信されたか否か（通信部２２ａによって測定値データＤ０が受信されたか否か）の監視を開始する。
【００７０】
この測定作業支援画面３０ｂでは、前述した測定作業支援画面３０ａにおけるキャンセルボタン４４および設定終了ボタン４５に代わり、「測定順序」等を再設定する際に測定作業支援画面３０ｂに代えて測定作業支援画面３０ａを表示させるための再設定ボタン４６、および測定作業支援画面３０ａにおいて「測定順序」を規定した各ブレーカＸについての測定値の取得が完了したときに操作する測定終了ボタン４７が表示される。また、処理部２６は、各ブレーカＸの像３２を含む画像３１、指定された「測定順序」を示す各マーカー３３、測定対象情報表示４１および測定結果表示４２を引き続き表示させる。
【００７１】
さらに、処理部２６は、測定値の取得が完了していないブレーカＸのなかで「測定順序」が最も早いブレーカＸａの像３２ａを特定可能な「特定用表示」を像３２ａに関連付けて画像３１に表示させる（「第１の処理」の実行）。この際に、本例の携帯情報端末２（測定データ処理用プログラムＤｐ）では、処理部２６が、一例として、「測定順序」が最も早いブレーカＸａに対応する「順序表示」としてのマーカー３３−０１を「特定用表示」として点滅表示させる。
【００７２】
この場合、本例の携帯情報端末２（測定データ処理用プログラムＤｐ）では、「測定順序」が最も早い順序ではないブレーカＸに対応するマーカー３３（図７の例では、「測定順序」が２番目以降であるブレーカＸｂ〜Ｘｉに対応するマーカー３３−０２〜３３−０９）を点灯表示（「第１の表示態様」の一例）させると共に、「測定順序」が最も早い順序であるブレーカＸに対応するマーカー３３（図７の例では、「測定順序」が１番目であるブレーカＸａに対応するマーカー３３−０１）を点滅表示（「第２の表示態様」の一例）させる構成・処理手順が採用されている。
【００７３】
また、本例の携帯情報端末２（測定データ処理用プログラムＤｐ）では、「測定値」の取得が完了したブレーカＸ（「測定順序」が最も早い順序ではないブレーカＸの他の一例）に対応するマーカー３３（一例として、後述するように、「測定値」の取得が完了したブレーカＸａに対応するマーカー３３−０１：図８参照）を点灯表示（「第１の表示態様」の他の一例）させる構成・処理手順が採用されている。したがって、本例では、いずれかのマーカー３３が点滅表示させられているときに、そのマーカー３３が関連付けられた像３２に対応するブレーカＸが、「測定値の取得が完了していないブレーカＸのなかで測定順序が最も早いブレーカＸ」であると特定することが可能となる。
【００７４】
さらに、処理部２６は、１番目の「測定対象」であるブレーカＸａについての測定値を入力すべき測定値欄４２ｂ−０１にカーソル表示を表示させると共に、一例として「(１)についての測定作業を開始して下さい。」とのメッセージを示すメッセージ表示部５０を測定作業支援画面３０ｂに重ねて表示させると共に、メッセージ表示部５０に表示させているメッセージと同じメッセージをスピーカ２５から音声メッセージとして出力する。
【００７５】
したがって、測定作業支援画面３０ｂのマーカー３３や、メッセージ表示部５０に表示されたメッセージを見たり、スピーカ２５から出力された音声メッセージを聞いたりした利用者は、各ブレーカＸについての測定作業を開始する。この際に、本例の測定システム１００では、携帯情報端末２の表示部２４に表示されている測定作業支援画面３０ｂを参照することにより、これから測定する電圧値が、ブレーカＸａ〜Ｘｉのいずれについての電圧値として記録されるか（ブレーカＸａ〜Ｘｉのいずれについての測定を行うべきか）を確実かつ容易に利用者に対して認識させることが可能となっている。
【００７６】
具体的には、図７に示す測定作業支援画面３０ｂが表示部２４に表示されている本例では、画像３１における像３２ａに重ねられているマーカー３３−０１が点滅表示されている。このため、利用者は、このマーカー３３−０１が重ねられている像３２ａの画像３１内における位置に基づき、これから測定を行う「測定対象」が配電盤ＹにおけるブレーカＸａであると認識してテストリードをブレーカＸａに接触させる。これに応じて、測定装置１では、測定部１１が両テストリード間の電圧値を測定して測定値データＤ０を処理部１６に出力する。また、処理部１６は、測定部１１から出力された測定値データＤ０を記憶部１７に記憶させると共に、測定値データＤ０の値の変動量が予め規定された電圧値以下の範囲内となったとき（電圧値が安定したとき）に、その測定値データＤ０を通信部１２から携帯情報端末２に送信させる。
【００７７】
一方、携帯情報端末２では、測定装置１から送信された測定値データＤ０が通信部２２ａによって受信されたときに、処理部２６が、１番目の「測定対象」についての測定値（電圧値）の取得が完了したと判別し（「いずれかの測定対象像に関連付けて特定用表示を表示させている状態でその測定対象像に対応する測定対象についての測定値の取得が完了したとき」との状態の一例）、図８に示すように、その測定値データＤ０の値を測定値欄４２ｂ−０１に数値入力して測定結果データＤ３を生成する（「第２の処理」の実行）。
【００７８】
また、処理部２６は、測定データ処理用プログラムＤｐの記述に従い、一例として、「(１)についての測定値は、１００．５Ｖです。(２)についての測定作業を開始して下さい。」とのメッセージを示すメッセージ表示部５０を測定作業支援画面３０ｂに重ねて表示させると共に（「報知処理」の一例）、メッセージ表示部５０に表示させているメッセージと同じメッセージをスピーカ２５から音声メッセージとして出力する（「報知処理」の他の一例）。これにより、メッセージ表示部５０に表示されたメッセージを見たり、スピーカ２５から出力された音声メッセージを聞いたりした利用者は、測定装置１のテストリードを接触させているブレーカＸａ（１番目の測定対象）についての測定値の取得が正常に完了したと認識する。
【００７９】
また、１番目の「測定対象」であるブレーカＸａについての測定値の取得が完了したときに、処理部２６は、「測定順序」が１番目であることを示すマーカー３３−０１を、他のマーカー３３−０２〜３３−０９とは異なる表示色で点灯表示させる（「第２の表示態様」での表示である点滅表示を停止させる）と共に、測定値の取得が完了していないブレーカＸｂ〜Ｘｉのなかで「測定順序」が最も早いブレーカＸｂの像３２ｂに対応するマーカー３３−０２を点滅表示させる（「第２の表示態様」での表示の他の一例であって、「第１の処理を再び実行する」との動作の一例）。さらに、処理部２６は、ブレーカＸｂについての測定値を入力すべき測定値欄４２ｂ−０２にカーソル表示を表示させ、測定装置１から測定値データＤ０が送信されたか否かの監視を開始する。
【００８０】
なお、上記の例とは相違するが、例えば、ブレーカＸａについての測定を行った際に、例えば、「(１)についての測定値は、６０．２Ｖです。(２)についての測定作業を開始して下さい。」とのメッセージを示すメッセージ表示部５０が表示されると共に、同様の音声メッセージがスピーカ２５から出力され、これらのメッセージに基づき、利用者が、取得された測定値（電圧値）が正常ではないと判断したときには、１番目の「測定対象」であるブレーカＸａについての測定を再び実行する（測定し直す）ことができる。
【００８１】
例えば、測定値の取得が完了しているブレーカＸａについての測定を再び実行する際には、このブレーカＸａの像３２ａの上に重なって表示されているマーカー３３−０１を指定する操作（マーカー３３−０１にタッチする操作：「順序表示」を指定することで「順序表示」に対応する「測定対象」を指定する「第１の指定操作」の一例）を行う。この際に、処理部２６は、指定されたマーカー３３−０１に対応するブレーカＸａについての測定値の取得が完了していないものとして、上記の「第１の処理」を再び実行する。
【００８２】
具体的には、処理部２６は、マーカー３３−０１に対するタッチ操作が行われたときに、図７に示すように、１番目の「測定対象」であるブレーカＸａについての測定値の取得が完了したことで２番目の「測定対象」を特定させるために点滅表示させているマーカー３３−０２をマーカー３３−０３〜３３−０９と同様の表示に戻すと共に、タッチ操作によって指定されたマーカー３３−０１を点滅表示させ、かつ、測定値欄４２ｂ−０１に入力されている測定値（本例では、６０．２Ｖとの値）を消去して測定値入力用のカーソルを点滅表示させる。これにより、利用者が、マーカー３３−０１が重ねられている像３２ａの画像３１内における位置に基づき、これから測定を行う「測定対象」が配電盤ＹにおけるブレーカＸａであると認識してテストリードをブレーカＸａに接触させ、測定装置１によってブレーカＸａの電圧値が測定されて測定値データＤ０が携帯情報端末２に送信される。
【００８３】
一方、１番目の「測定対象」であるブレーカＸａについての測定値の取得が完了し、図８に示すような測定作業支援画面３０ｂが表示部２４に表示されている状態において、この測定作業支援画面３０ｂのマーカー３３や、メッセージ表示部５０に表示されたメッセージを見た利用者は、次の「測定対象」についての測定を開始する。この際に、本例では、画像３１における像３２ｂに重ねられているマーカー３３−０２が点滅表示されているため、利用者は、このマーカー３３−０２が重ねられている像３２ｂの画像３１内における位置に基づき、これから測定を行う「測定対象」が配電盤ＹにおけるブレーカＸｂであると認識してテストリードをブレーカＸｂに接触させる。
【００８４】
これに応じて、測定装置１では、測定部１１が両テストリード間の電圧値を測定して測定値データＤ０を処理部１６に出力する。また、処理部１６は、測定部１１から出力された測定値データＤ０を記憶部１７に記憶させると共に、測定値データＤ０の値の変動量が予め規定された電圧値以下の範囲内となったとき（電圧値が安定したとき）に、その測定値データＤ０を通信部１２から携帯情報端末２に送信させる。
【００８５】
一方、携帯情報端末２では、測定装置１から送信された測定値データＤ０が通信部２２ａによって受信されたときに、処理部２６が、２番目の「測定対象」についての測定値（電圧値）の取得が完了したと判別し（「いずれかの測定対象像に関連付けて特定用表示を表示させている状態でその測定対象像に対応する測定対象についての測定値の取得が完了したとき」との状態の他の一例）、その測定値データＤ０の値を測定値欄４２ｂ−０２に数値入力して測定結果データＤ３を生成する（「第２の処理」の実行）。
【００８６】
また、例えば、上記の１番目および２番目の「測定対象」であるブレーカＸａ，Ｘｂについての測定値の取得時と同様にして３番目の「測定対象」であるブレーカＸｃについての測定値が取得され、その測定値が、利用者が想定している測定値とは相違する測定値であったときに、本例の測定システム１００では、ブレーカＸａ〜Ｘｉについての過去の測定値を含む情報（測定履歴）を携帯情報端末２において参照することが可能となっている。
【００８７】
具体的には、例えばブレーカＸｃについての測定値が、想定する値よりもやや低い値（例えば、９８．３Ｖ）であったときに、履歴表示ボタン４３を操作する（「予め規定された操作」の一例）。この際に、ブレーカＸａ〜Ｘｉについて過去に測定作業が実施されて、その際に生成された測定結果データＤ３が記憶部２７に記憶されているときに、処理部２６は、測定結果データＤ３のタイムスタンプ（すなわち、測定結果データＤ３が生成された測定作業の実施日時）を特定可能な履歴リスト（図示せず）を表示部２４に表示させる。また、過去の測定作業によって生成された測定結果データＤ３が記憶部２７に記憶されていないときには、通信部２２ｂおよび通信ネットワークＮを介してデータサーバ３にアクセスし、データサーバ３に保管されている測定結果データＤ３を受信して記憶部２７に記憶させることもできる。したがって、履歴表示ボタン４３の操作によって表示されるリストから、任意の１つを選択することにより、過去の測定作業によって生成された測定結果データＤ３が読み出されて、図９に示す測定結果表示画面３０ｃが表示部２４に表示される。
【００８８】
この場合、同図に示す測定結果表示画面３０ｃでは、一例として、過去に実施した測定作業時に生成された測定結果データＤ３に基づいて各ブレーカＸについての測定値が測定値欄４２ｂ−０１〜４２ｂ−０９にそれぞれ表示されている。また、本例では、３番目の「測定対象」であるブレーカＸｃについての過去の測定作業時における測定値（測定値欄４２ｂ−０３に入力されている測定値）がやや低かったため、備考欄４２ｃ−０３に「測定値低い」との事項が記入されている。
【００８９】
したがって、測定結果表示画面３０ｃを参照することで、ブレーカＸｃについての過去の測定値が今回測定値と同様にやや低い値であり、このブレーカＸｂについての測定値（電圧値）が低い状態は正常であると認識した利用者は、表示終了ボタン４８を操作する。この際には、測定結果表示画面３０ｃに代わり、測定値欄４２ｂ−０３に「９８．３Ｖ」との測定値が入力されると共にマーカー３３−０４が点滅表示させられた測定作業支援画面３０ｂ（図示せず）が表示部２４に表示される。
【００９０】
この後、４番目から９番目の各「測定対象」であるブレーカＸｄ〜Ｘｉについても、上記の測定時と同様の処理を実行する。また、９番目の「測定対象」であるブレーカＸｉについての測定を完了したとき（ブレーカＸｉについての測定値の測定値欄４２ｂ−０９への入力が完了したとき）に、処理部２６は、図１０に示すように、一例として、「(１)〜(９)についての測定値の記録が完了しました。」とのメッセージを示すメッセージ表示部５０を測定作業支援画面３０ｂに重ねて表示させると共に（「報知処理」のさらに他の一例）、メッセージ表示部５０に表示させているメッセージと同じメッセージをスピーカ２５から音声メッセージとして出力する（「報知処理」のさらに他の一例）。
【００９１】
これにより、メッセージ表示部５０に表示されたメッセージを見たり、スピーカ２５から出力された音声メッセージを聞いたりした利用者は、ブレーカＸａ〜Ｘｉのすべてについての測定が正常に完了したと認識する。また、利用者が、ブレーカＸａ〜Ｘｉについての測定を再び行う必要がないと判断したときには、測定終了ボタン４７を操作する。これにより、ブレーカＸａ〜Ｘｉについての各測定値が記録された測定結果データＤ３が記憶部２７に記憶された状態となり、一連の測定作業が終了する。
【００９２】
一方、測定装置１において生成された測定値データＤ０を無線通信等によって携帯情報端末２に送信させ、携帯情報端末２において、受信した測定値データＤ０の値を「測定対象」についての測定値として取得して測定値欄４２ｂに自動で入力する使用方法を例に挙げて説明したが、本例の測定システム１００では、測定装置１によって測定される測定値を、携帯情報端末２の操作によって手動で入力することもできる。
【００９３】
一例として、医療施設内や空港施設内のように無線通信の使用を制限されている環境下で上記の測定システム１００を利用して測定作業を行うときには、測定装置１から携帯情報端末２に無線通信によって測定値データＤ０を送信することができない。このため、上記の測定システム１００では、測定装置１の通信部１２、および携帯情報端末２の通信部２２ａの双方をオフ状態に設定した状態において携帯情報端末２において測定データ処理用プログラムＤｐが起動することで、測定装置１によって測定された測定値を携帯情報端末２の操作によって手動で入力する「手動入力モード」で使用することができる。なお、カメラ２１によって配電盤Ｙ（各ブレーカＸ）を撮像する作業や、測定作業支援画面３０ａを表示させた状態で「測定順序」を指定する操作については前述の例と同様のため、説明を省略する。
【００９４】
この「手動入力モード」では、例えば、図７に示すように、マーカー３３−０１が「特定用表示」として点滅表示させられている測定作業支援画面３０ｂ（「第１の処理」が実行されている状態）を見た利用者が測定装置１を操作して、１番目の「測定対象」であるブレーカＸａについての電圧値の測定を行う。この際に、本例の測定システム１００では、一例として、測定装置１の通信部１２がオフ状態のとき、すなわち、「手動入力モード」で測定システム１００を使用しているときに、測定部１１から出力される測定値データＤ０の値の変動量が予め規定された電圧値以下の範囲内となったとき（電圧値が安定したとき）に、処理部１６が、スピーカ１５からブザー音を出力する。これにより、測定装置１による測定を実行している利用者は、ブレーカＸａについての測定を完了したと認識する。
【００９５】
次いで、測定装置１の表示部１４に表示される電圧値を参照しつつ携帯情報端末２を操作することにより、カーソルが表示されている測定値欄４２ｂ−０１に、「１」「０」「０」「．」「５」「Ｖ」との文字を順次入力し、入力した文字列の確定操作を行う（「測定値の入力操作が行われたとき」の一例）。この際に、処理部２６は、測定値の取得が完了したとして、入力された文字からなる「１００．５Ｖ」との値を、ブレーカＸａについて測定値として測定結果データＤ３に記録すると共に（「第２の処理」の他の一例）、図８に示すように測定作業支援画面３０ｂを表示替えする。
【００９６】
なお、図８に示す測定作業支援画面３０ｂに表示替えする際に実行される各処理（「報知処理」、およびマーカー３３−０２を点滅表示させる「第１の処理」など）については、測定値データＤ０の値を自動入力する前述の構成・処理手順のときと同様のため、説明を省略する。この後、２番目以降の「測定対象」であるブレーカＸｂ，Ｘｃ・・についての測定、および測定作業支援画面３０ｂにおける測定結果表示４２の測定値欄４２ｂ−０２，４２ｂ−０３・・への測定値の入力操作（測定値を示す文字列の入力および確定）などを順次実行する。これにより、図１０に示すように、１番目から９番目までのブレーカＸａ〜Ｘｉについての測定が完了し、測定装置１によって測定された測定値が測定値欄４２ｂ−０１〜４２ｂ−０９に入力された状態となる。この後、測定終了ボタン４７を操作することにより、一連の測定作業が完了する。
【００９７】
また、今回の測定作業によって生成した測定結果データＤ３をデータサーバ３に保管するときには、処理部２６が通信部２２ｂを制御して通信ネットワークＮを介してデータサーバ３にアクセスし、記憶部２７に記憶されている最新の測定結果データＤ３を送信させる。これにより、上記の測定作業によって生成された最新の測定結果データＤ３が配電盤Ｙに関連付けられた状態でデータサーバ３に保管される。
【００９８】
このように、この携帯情報端末２では、各ブレーカＸに対して「測定順序」がそれぞれ指定されている状態において、処理部２６が、各ブレーカＸのそれぞれの位置に対応して像３２が並べられた画像３１を表示部２４に表示させると共に、測定値の取得が完了していないブレーカＸのなかで「測定順序」が最も早いブレーカＸの像３２を特定可能な「特定用表示（本例では、点滅表示させたマーカー３３）」を像３２に関連付けて画像３１に重ねて表示させる「第１の処理」、およびいずれかの像３２に関連付けて「特定用表示」としてマーカー３３を点滅表示させている状態で、その像３２に対応するブレーカＸについての測定値の取得が完了したときに、取得した測定値を、そのブレーカＸに対応させて測定結果データＤ３に記録する「第２の処理」を実行すると共に「第１の処理」を再び実行する。また、この測定システム１００では、各「測定対象」についての測定を実行可能に構成された測定装置１と、上記のような携帯情報端末２とを備えて構成されている。さらに、この測定データ処理用プログラムＤｐでは、上記の「第１の処理」や「第２の処理」の実行手順が記録されている。
【００９９】
したがって、この携帯情報端末２、測定システム１００および測定データ処理用プログラムＤｐによれば、各ブレーカＸについての測定を順次実行する際に、「特定用表示」として点滅表示させられているマーカー３３がいずれの像３２に重なって表示されているかに基づき、いずれのブレーカＸについての測定を行うべきかを正確かつ容易に把握することができる。これにより、この種の装置を使用した測定作業に不慣れな利用者であっても、各ブレーカＸについての測定値を正確かつ容易に記録して測定結果データＤ３を生成することができる。
【０１００】
また、この携帯情報端末２、測定システム１００および測定データ処理用プログラムＤｐによれば、配電盤Ｙの画像３１を表示部２４に表示させる際に、各ブレーカＸに対して指定された「測定順序」を特定可能な「順序表示（本例では、マーカー３３）」を対応するブレーカＸの像３２にそれぞれ関連付けて画像３１に重ねて表示させることにより、「順序表示」としてのマーカー３３、およびその表示位置を参照することで、各マーカー３３が重なって表示されている像３２に対応するブレーカＸについての「測定順序」を正確かつ容易に把握することができる。
【０１０１】
また、この携帯情報端末２、測定システム１００および測定データ処理用プログラムＤｐによれば、測定値の取得が完了していない「測定対象」のなかで「測定順序」が最も早い「測定対象」に対応する「順序表示」を「特定用表示」として、対応する「測定対象」の「測定順序」が最も早い順序ではないときの「第１の表示態様（本例では、点灯表示）」とは異なる「第２の表示態様（本例では、点滅表示）」で表示することにより、「順序表示」としてのマーカー３３とは別個に「特定用表示」を表示させる構成・処理手順とは異なり、画像３１に重ねて表示される表示要素の数を少なくすることができるため、過剰に多くの表示要素を画像３１に重ねて表示させることで各ブレーカＸの像３２の視認が困難となる事態を招くことなく、各ブレーカＸについての「測定順序」、およびこれから測定を行うべきブレーカＸについての像３２を確実かつ容易に把握することができる。
【０１０２】
さらに、この携帯情報端末２、測定システム１００および測定データ処理用プログラムＤｐによれば、「第１の処理」においていずれかの「測定対象像」に関連付けて「特定用表示」を表示させている状態で通信部２２ａによって測定値データＤ０が受信されたときに、測定値の取得が完了したとして「第２の処理」を実行することにより、測定装置１によって測定された測定値を手動で携帯情報端末２に入力する構成・処理手順とは異なり、測定値の入力ミスを好適に回避することができるだけでなく、各ブレーカＸについての測定値を短時間で容易に記録することができきる。
【０１０３】
また、この携帯情報端末２、測定システム１００および測定データ処理用プログラムＤｐによれば、「第１の処理」においていずれかのブレーカＸの像３２に関連付けてマーカー３３を点滅表示させている状態で測定値の入力操作が行われたときに、測定値の取得が完了したとして「第２の処理」を実行することにより、測定装置１と携帯情報端末２との間の通信が困難な環境下においても、各ブレーカＸについての測定値を正確かつ容易に記録して測定結果データＤ３を生成することができる。
【０１０４】
さらに、この携帯情報端末２、測定システム１００および測定データ処理用プログラムＤｐによれば、「第１の処理」においていずれかの「測定対象像」に関連付けて「特定用表示」を表示させている状態で測定値の取得が完了している「測定対象」を指定する「第１の指定操作」が行われたときに、指定された「測定対象」についての測定値の取得が完了していないものとして「第１の処理」を再び実行することにより、利用者が、記録された測定値が正常ではないと判断したときに、その測定値が得られた「測定対象」についての測定だけを何度でもやり直すことができるため、各「測定対象」についての測定値を一層正確に記録することができる。
【０１０５】
また、この携帯情報端末２、測定システム１００および測定データ処理用プログラムＤｐによれば、いずれかの「測定対象」についての測定値の取得が完了したときに、測定値の取得が完了したことを特定可能に報知する「報知処理（本例では、メッセージの表示および音声メッセージの出力）」を実行することにより、測定結果表示４２の測定値欄４２ｂに測定値が入力されたか否かを確認しなくても、測定を行ったブレーカＸについての測定値の記録が完了したか否かを容易に把握し、次の「測定対象」についての測定を迅速に開始することができるため、各ブレーカＸについての測定値の記録を短時間で完了させることができる。
【０１０６】
さらに、この携帯情報端末２、測定システム１００および測定データ処理用プログラムＤｐによれば、「報知処理」において、取得が完了した測定値を特定可能な音声メッセージを出力することにより、携帯情報端末２からある程度離れた場所（表示部２４の視認が困難な程度に離れた場所）で測定装置１による測定作業を実行しているときであっても、携帯情報端末２において各ブレーカＸについての測定値の記録が完了したか否かを容易に把握することができる。
【０１０７】
また、この携帯情報端末２、測定システム１００および測定データ処理用プログラムＤｐによれば、画像３１上における各「測定対象像」の表示位置を指定する「第２の指定操作（本例では、マーカー３３の各像３２上へのドラッグ操作）」が行われたときに、「第２の指定操作」が行われた順序に従って指定された表示位置に対応する「測定対象」の「測定順序」を規定することにより、例えば、利用者以外の者が予め決定した「測定順序」に従って各ブレーカＸについての測定を順次実行するのと比較して、各ブレーカＸについての「測定順序」を利用者の好みに応じて任意に指定することができ、しかも、その指定操作が非常に容易であるため、各ブレーカＸについての測定をスムーズに実行することができる。
【０１０８】
さらに、この携帯情報端末２、測定システム１００および測定データ処理用プログラムＤｐによれば、カメラ２１から出力された撮像データＤ２を「画像データ」として記憶部２７に記憶させ、記憶させた「画像データ（撮像データＤ２）」に基づいて画像３１を表示部２４に表示させることにより、「測定対象像」を描いた「画像データ」を測定作業等に先立って生成する煩雑な作業を行うことなく、カメラ２１によって各ブレーカＸを撮像するだけで、「測定対象像」としての各像３２を含む画像３１を携帯情報端末２の表示部２４に容易に表示させることができる。また、「測定対象像」を描いた「画像データ」を使用するのとは異なり、実際に測定を行う各ブレーカＸを撮像した撮像データＤ２を「画像データ」として使用して画像３１を表示させることで、「特定用表示」としてのマーカー３３の表示位置に基づき、次に測定を行うブレーカＸの位置などを正確かつ容易に把握することができる。
【０１０９】
また、この携帯情報端末２、測定システム１００および測定データ処理用プログラムＤｐによれば、予め規定された操作（本例では、履歴表示ボタン４３の操作）が行われたときに、測定結果データＤ３に基づいて「測定対象」についての過去に測定された測定値を表示部２４に表示させることにより、例えば、測定された測定値が、想定している値とは異なるときに、過去に測定された測定値を参照することで、その測定値が正常であるか否か等を容易に把握することができる。
【０１１０】
なお、「測定データ処理装置」および「測定システム」の構成や、「測定データ処理用プログラム」の処理内容については、上記の例に限定されない。例えば、「測定対象」としての各ブレーカＸの像３２を含む画像３１における任意の位置（いずれかの像３２と重なる位置）にマーカー３３を配置することで各ブレーカＸについての「測定順序」を手動で設定し、設定した「測定順序」を示すマーカー３３を各ブレーカＸの像３２に対応付けて（像３２に重ねて）表示させた状態とする構成・処理手順を例に挙げて説明したが、このような構成・処理手順に代えて（または、このような構成・処理手順に加えて）、各ブレーカＸ（配電盤Ｙ）をカメラ２１によって撮像するだけで、予め規定された「測定順序」に対応するマーカー３３（順序表示）を各像３２に関連付けて画像３１に重ねて表示させる構成・処理手順を採用することもできる。
【０１１１】
なお、以下の説明において使用する測定システム１００（測定装置１および携帯情報端末２）では、携帯情報端末２にインストールされている測定データ処理用プログラムＤｐが僅かに相違する点を除き、前述した測定システム１００（測定装置１および携帯情報端末２）と同様に構成されているため、同様の機能を有する構成要素については、同一の符号を用いて説明することで重複する説明を省略する。
【０１１２】
まず、各ブレーカＸについての測定の開始に先立ち、図１１に示すように、「測定対象」としてのブレーカＸａ〜Ｘｉ（または、配電盤ＹにおけるブレーカＸａ〜Ｘｉの近傍）にコードラベルＬａ〜Ｌｉをそれぞれ貼付する。このコードラベルＬａ〜Ｌｉ（以下、区別しないときには「コードラベルＬ」ともいう）は、「識別符号表示」に相当し、一例として、カラービット（登録商標）の規格に従って１枚ずつ相違するユニークなコード（符号）がカラーコード化されて記されている。
【０１１３】
また、一例として、各ブレーカＸへのコードラベルＬの貼付作業を並行して携帯情報端末２を操作することにより、図示しない設定用画面を表示部２４に表示させた状態において、どのようなコードが記されたコードラベルＬをいずれのブレーカＸに貼付したかを逐次入力すると共に、各ブレーカＸの名称（後に参照する測定作業支援画面３０ｄにおける測定結果表示４２の測定対象名欄４２ａ−０１〜４２ａ−０９に表示される文字列）をそれぞれ入力することによって関連付けデータＤａ（「第１の関連付けデータ」の一例）を生成する。この場合、例えばブレーカＸａにコードラベルＬａを貼付する本例では、コードラベルＬａに記されているコードが、ブレーカＸａに対して個別的に付与される「識別符号」としてブレーカＸａに関連付けられると共に、ブレーカＸａの名称として入力される「メインブレーカ」との名称がブレーカＸａに関連付けられてデータＤａに記録され、記憶部２７に記憶される。
【０１１４】
さらに、一例として、各ブレーカＸへのコードラベルＬの貼付作業、およびコードラベルＬのコードと各ブレーカＸとの関連付け作業（関連付けデータＤａの生成）が完了したときに、携帯情報端末２を操作して、各ブレーカＸの「測定順序」を決定する。この際には、ブレーカＸａ，Ｘｂ・・Ｘｉの順で測定を行うように決定されて、各ブレーカＸに対して付与された「識別符号」（本例では、各ブレーカＸに貼付されたコードラベルＬに記されているコード）を、決定した「測定順序」に関連付けて記録した関連付けデータＤｂ（「第２の関連付けデータ」の一例）が生成されて記憶部２７に記憶される。
【０１１５】
次いで、操作部２３（タッチパネル）の操作によって「測定対象の撮像」との項目を選択した後に、配電盤Ｙにおける各ブレーカＸをカメラ２１によって撮像する。この際には、図１２に示すように、「測定対象」としての各ブレーカＸの像３２、および各ブレーカＸに貼付したコードラベルＬａ〜Ｌｉの像３４ａ〜３４ｉ（以下、区別しないときには「像３４」ともいう）が各ブレーカＸの位置に応じて並んだ画像３１の撮像データＤ２がカメラ２１から出力される。また、処理部２６は、カメラ２１から撮像データＤ２が出力されたときに、測定データ処理用プログラムＤｐの記述に従い、図１３に示す測定作業支援画面３０ｄを表示部２４に表示させる。なお、この測定作業支援画面３０ｄにおいて前述した測定作業支援画面３０ｂと同様の表示要素については、同一の符号を付して重複する説明を省略する。
【０１１６】
この際に、処理部２６は、測定データ処理用プログラムＤｐの記述に従い、カメラ２１によって撮像された撮像データＤ２を画像解析処理することにより、撮像された各コードラベルＬのコード（像３４によって示されるコード：識別符号）をそれぞれ特定する（「処理Ａ」の実行）。次いで、処理部２６は、特定したコード（識別符号）が付与されているブレーカＸを関連付けデータＤａに基づいて特定する（「処理Ｂ」の実行）。続いて、処理部２６は、特定したコード（識別符号）のブレーカＸに関連付けられている「測定順序」を関連付けデータＤｂに基づいて特定する（「処理Ｃ」の実行）。これにより、「最初の第１の処理の開始に先立ち、処理Ａ、処理Ｂおよび処理Ｃを実行する」との一連の処理が完了し、各ブレーカＸａ〜Ｘｉについての「測定順序」が指定された状態となる。
【０１１７】
次いで、同図に示すように、処理部２６は、「処理Ｃ」において関連付けデータＤｂに基づいて特定した「測定順序」を示すマーカー３３−０１〜３３−０９（順序表示）を「処理Ｂ」において関連付けデータＤａに基づいて特定したブレーカＸａ〜Ｘｉの像３２ａ〜３２ｉに関連付けて画像３１に重ねて表示させる処理を実行する。また、処理部２６は、関連付けデータＤａに記録されている各ブレーカＸの名称を測定結果表示４２における各測定対象名欄４２ａ−０１〜４２ａ−０９に表示せる。
【０１１８】
これにより、ブレーカＸａ〜Ｘｉの像３２ａ〜３２ｉにマーカー３３−０１〜３３−０９がそれぞれ重なって表示され、かつ各マーカー３３−０１〜３３−０９の位置の像３２ａ〜３２ｉに対応するブレーカＸａ〜Ｘｉの名称が測定対象名欄４２ａ−０１〜４２ａ−０９に表示された状態となり、表示された各マーカー３３に基づき、各像３２に対応する「測定対象（各ブレーカＸ）」に対して規定された「測定順序」を特定し、かつ測定対象名欄４２ａ−０１〜４２ａ−０９に表示された文字列によって各ブレーカＸの名称を特定することが可能な状態となる。
【０１１９】
また、処理部２６は、測定値の取得が完了していないブレーカＸのなかで「測定順序」が最も早いブレーカＸａの像３２ａを特定可能な「特定用表示」を像３２ａに関連付けて画像３１に表示させる（「第１の処理」の実行）。この際に、本例では、処理部２６が、一例として、「測定順序」が最も早いブレーカＸａに対応する「順序表示」としてのマーカー３３−０１を「特定用表示」として点滅表示させる（「第２の表示態様」での表示の他の一例）。さらに、処理部２６は、１番目の「測定対象」であるブレーカＸａについての測定値を入力すべき測定値欄４２ｂ−０１にカーソル表示を表示させると共に、一例として「(１)についての測定作業を開始して下さい。」とのメッセージを示すメッセージ表示部５０を測定作業支援画面３０ｄに重ねて表示させる。
【０１２０】
この後、マーカー３３のドラッグ操作によって各ブレーカＸについての「測定順序」を決定した前述の例のときと同様にして、測定作業支援画面３０ｄや測定作業支援画面３０ｄ上のメッセージ表示部５０に表示されたメッセージを見た利用者が、各ブレーカＸについての測定を順次実行する。これにより、各ブレーカＸａ〜Ｘｉについての一連の測定作業が完了し、測定結果データＤ３が記憶部２７に記憶された状態となる。
【０１２１】
このように、この携帯情報端末２、測定システム１００および測定データ処理用プログラムＤｐでは、最初の「第１の処理」の開始に先立ち、「識別符号」を示すコードラベルＬが配設された各ブレーカＸ（測定対象）がカメラ２１によって撮像された撮像データＤ２を画像解析処理してコードラベルＬに記されているコード（識別符号）をそれぞれ特定する「処理Ａ」と、特定した「識別符号」が付与されているブレーカＸを関連付けデータＤａに基づいて特定する「処理Ｂ」と、特定した「識別符号」に関連付けられている「測定順序」を関連付けデータＤｂに基づいて特定する「処理Ｃ」とを実行する。
【０１２２】
したがって、この携帯情報端末２、測定システム１００および測定データ処理用プログラムＤｐによれば、各ブレーカＸにコードラベルＬを貼付し、関連付けデータＤａ，Ｄｂを携帯情報端末２に記憶させておくことで、カメラ２１によって各ブレーカＸを撮像するだけで、各ブレーカＸに対して規定された「測定順序」などが自動的に特定されるため、この種の装置に不慣れな利用者であっても、各ブレーカＸについての測定値を正確かつ容易に記録して測定結果データＤ３を生成することができる。
【０１２３】
また、「順序表示」としてのマーカー３３を「特定用表示」として表示させる際に「第２の表示態様」として「点滅表示」させる構成・処理手順を例に挙げて説明したが、いずれかの「順序表示」を「特定用表示」として表示させる際の「第２の表示態様」はこれに限定されない。例えば、対応する「測定対象」の「測定順序」が最も早い順序ではないときの「第１の表示態様」での表示時とは異なる色や、異なる形状や、異なる大きさに表示する表示態様を「第２の表示態様」とする構成・処理手順を採用することもできる。
【０１２４】
さらに、「特定用表示」を「順序表示」とは別個に表示させる構成・処理手順を採用することもできる。具体的には、一例として、図１４に示す測定作業支援画面３０ｅのように、「順序表示」としてのマーカー３３とは別に、測定値の取得が完了していないブレーカＸのなかで「測定順序」が最も早いブレーカＸを特定可能なカレント表示３５（これから測定を行うブレーカＸを示す表示：「特定用表示」の他の一例）を対応する「測定対象像（例えば像３２ａ）」に関連付けて画像３１に重ねて表示させる処理を「第１の処理」として実行する構成・処理手順を採用することができる。なお、この測定作業支援画面３０ｅや、後述する測定作業支援画面３０ｆ（図１５参照）において前述した測定作業支援画面３０ｂと同様の表示要素については、同一の符号を付して重複する説明を省略する。
【０１２５】
また、図１５に示す測定作業支援画面３０ｆのように、上記の各例において「順序表示」に相当するマーカー３３−０１〜３３−０９に代えて（「順序表示」を表示せずに）、一例として、各ブレーカＸの名称を示す文字列（測定結果表示４２における測定対象名欄４２ａ−０１，４２ａ−０２・・に入力した文字列）を示すマーカー３６−０１〜３６−０９（以下、区別しないときには「マーカー３６」ともいう）を各ブレーカＸの像３２の表示位置に表示させておき、これらのマーカー３６のうちのいずれかを「特定用表示」として、「測定順序」が最も早い順序ではないときの「第１の表示態様」とは異なる「第２の表示態様」で表示する構成・処理手順を採用することができる。
【０１２６】
この場合、「順序表示」に相当する表示が存在しない測定作業支援画面３０ｆの例では、一例として、測定結果表示４２内の各「測定対象」に関する表示の順序を任意に指定することで「測定順序」を指定することができる。具体的には、ブレーカＸａ，Ｘｂ・・Ｘｉの順で「測定順序」を指定する際には、ブレーカＸａ，Ｘｂ・・Ｘｉの名称を測定結果表示４２内に上から順に入力する。この際には、図４に示す測定作業支援画面３０ａにおける各マーカー３３に代わって、入力された文字列（本例では、各ブレーカの名称）を示すマーカー３６が画像３１の側方に表示されるため（図示せず）、図５，６を参照しつつ説明した前述の例と同様にして、表示されたマーカー３６を各ブレーカＸの像３２にそれぞれ関連付けて配電盤Ｙの画像３１に重ねて表示させる。この後、設定終了ボタン４５（図示せず）を操作することにより、処理部２６による最初の「第１の処理」が開始されて、図１５に示すように、測定作業支援画面３０ｆが表示部２４に表示される。
【０１２７】
この測定作業支援画面３０ｆでは、測定値の取得が完了していない各ブレーカＸのなかで「測定順序」が最も早い１つ（処理開始直後の本例では、「測定順序」が１番のブレーカＸａ）に対応付けられたマーカー３６−０１が、「特定用表示」として、ブレーカＸａについての「測定順序」が最も早い順序ではないときの「第１の表示態様（一例として、点灯表示）」とは異なる「第２の表示態様（一例として、点滅表示）」で表示される。また、処理部２６は、１番目の「測定対象」であるブレーカＸａについての測定値を入力すべき測定値欄４２ｂ−０１にカーソル表示を表示させると共に、一例として「「メインブレーカ」についての測定作業を開始して下さい。」とのメッセージを示すメッセージ表示部５０を測定作業支援画面３０ｆに重ねて表示させると共に、メッセージ表示部５０に表示させているメッセージと同じメッセージをスピーカ２５から音声メッセージとして出力する。
【０１２８】
したがって、測定作業支援画面３０ｆのマーカー３６−０１の点滅表示や、メッセージ表示部５０に表示されたメッセージを見たり、スピーカ２５から出力された音声メッセージを聞いたりした利用者は、各ブレーカＸａについての測定作業を開始すべきと認識して必要な作業を速やかに開始する。このため、「順序表示」を「特定用表示」と兼用したり、「順序表示」とは別個に「特定用表示」を表示させたりする上記の各例と同様にして、各ブレーカＸについての測定を順次実行する際に、「特定用表示」として点滅表示させられているマーカー３６がいずれの像３２に重なって表示されているかに基づき、いずれのブレーカＸについての測定を行うべきかを正確かつ容易に把握することができる。
【０１２９】
なお、測定作業支援画面３０ｆにおけるマーカー３６の点滅表示のように、「順序表示」ではない表示要素（単体では測定順序を特定することができない表示要素）を「特定用表示」として表示させる構成・処理手順においては、マーカー３６の例のように、「測定対象の名称」を示す文字列を示した表示に限定されず、利用者が任意に指定した文字列や、任意の記号および任意の図形を「特定用表示」として表示させることができる（図示せず）。この場合、「利用者が任意に指定した文字列」には、「測定順序とは無関係な数字」がこれに含まれる。
【０１３０】
さらに、カメラ２１によって生成された撮像データＤ２を「画像データ」として使用して画像３１を表示させる構成・処理手順を例に挙げて説明したが、携帯情報端末２に搭載されているカメラ２１とは異なるカメラ（外部装置で構成された撮像装置）によってブレーカＸａ〜Ｘｉ等の「測定対象」を撮像した「撮像データ」や、ブレーカＸａ〜Ｘｉ等の「測定対象」の「測定対象像」を描画した画像データを「画像データ」として使用することもできる。
【０１３１】
この場合、「測定対象」の「測定対象像」を描画した画像データを「画像データ」として使用するときには、「測定順序」の指定に際して「測定対象像」の表示位置を指定する操作（位置Ｐａや位置Ｐｂへのマーカー３３のドラッグ操作）を行う前述の例に代えて、「測定対象像」そのものを指定する操作（例えば「測定対象像」にタッチする操作：「測定対象像および画像上における測定対象像の表示位置のいずれか予め規定された一方」が「測定対象像」である「第２の指定操作」の一例）を行う構成・処理手順を採用することができる。
【０１３２】
また、「測定対象」の「測定対象像」を描画した画像データを「画像データ」として使用するときには、例えば、測定値の取得が完了している「測定対象」についての測定（測定値の取得）を再び実行する際に、その「測定対象像」に関連付けられている「順序表示（前述した例におけるマーカー３３）」に代えて、「測定対象像」そのものを指定する操作（例えば「測定対象像」にタッチする操作：「測定対象像」を指定することで「測定対象像」の「測定対象」を指定する「第１の指定操作」の一例）を行うことにより、指定された「測定対象像」に対応する「測定対象」についての測定値の取得が完了していないものとして「第１の処理」を再び実行させる構成・処理手順を採用することができる。
【０１３３】
さらに、測定に際して測定装置１によって測定される測定値の変動量が予め規定された測定値以下の範囲内となったとき（測定値が安定したとき）に、その測定値データＤ０を測定装置１から携帯情報端末２に送信させる構成・処理手順を例に挙げて説明したが、このような構成・処理手順に代えて、「測定装置」に配設されたホールドボタン等が操作されたときに、その時点における最新の測定値を示す「測定値データ」を「測定装置」から「測定データ処理装置」に送信させる構成・処理手順を採用することもできる。また、測定作業支援画面３０ａ，３０ｂ，３０ｄ，３０ｅや測定結果表示画面３０ｃにおいて各ブレーカＸの名称や測定値を表形式の測定結果表示４２に表示させる構成・処理手順を例に挙げて説明したが、各「測定対象」の名称や測定値を、各「測定対象」毎の表示画面にカード形式で表示させる構成・処理手順を採用することもできる。
【０１３４】
また、携帯情報端末２において測定値の記録が完了したときに携帯情報端末２において「報知処理」を実行する構成・処理手順を例に挙げて説明したが、このような構成・処理手順に代えて（または、このような構成・処理手順に加えて）、「測定データ処理装置」において測定値の記録が完了したときに測定値の取得が完了したことを特定可能に報知する「報知処理」を「測定装置」において実行する構成・処理手順を採用することもできる。具体的には、上記の例における携帯情報端末２において測定値の記録が完了したときに、その旨を示す報知信号を測定装置１に送信し、測定装置１において報知信号が受信されたときに、表示部１４にメッセージ表示部５０と同様のメッセージを表示させたり、携帯情報端末２のスピーカ２５から出力した音声メッセージと同様の音声メッセージをスピーカ１５から出力したりすることができる。
【０１３５】
さらに、「測定対象」である各ブレーカＸの設置場所において携帯情報端末２において測定データ処理用プログラムＤｐを起動させ、測定作業支援画面３０ａにおける測定結果表示４２の測定対象名欄４２ａ−０１，４２ａ−０２・・などにブレーカＸについての諸情報を入力する使用形態を例に挙げて説明したが、「測定対象」についての「履歴データ」が存在するとき（過去の測定結果に関するデータが存在するとき）や、「履歴データ」を記録するための基本情報を記録した「基本データ」が存在するとき（測定結果を記録するための「測定値」が未記録の履歴データが存在するとき）には、測定作業の開始に先立ってこれらのデータを取得し、取得したデータに基づいて測定結果表示４２の測定対象名欄４２ａ−０１，４２ａ−０２・・などに必要な情報を自動的に入力させるような構成・処理手順を採用することもできる。
【符号の説明】
【０１３６】
１００  測定システム
１  測定装置
２  携帯情報端末
３  データサーバ
１１  測定部
１２，２２ａ，２２ｂ  通信部
１３，２３  操作部
１４，２４  表示部
１５，２５  スピーカ
１６，２６  処理部
１７，２７  記憶部
２１  カメラ
３０ａ，３０ｂ，３０ｄ，３０ｅ，３０ｆ  測定作業支援画面
３０ｃ  測定結果表示画面
３１  画像
３２ａ〜３２ｉ，３４ａ〜３４ｉ  像
３３−０１〜３３−２０，３６−０１〜３６−０９  マーカー
３５  カレント表示
４１  測定対象情報表示
４２  測定結果表示
４２ａ−０１〜４２ａ−２０  測定対象名欄
４２ｂ−０１〜４２ｂ−２０  測定値欄
４２ｃ−０１〜４２ｃ−２０  備考欄
４３  履歴表示ボタン
４４  キャンセルボタン
４５  設定終了ボタン
４６  再設定ボタン
４７  測定終了ボタン
４８  表示終了ボタン
５０  メッセージ表示部
Ｄ０  測定値データ
Ｄ１  測定対象管理用データ
Ｄ２  撮像データ
Ｄ３  測定結果データ
Ｄａ，Ｄｂ  関連付けデータ
Ｄｐ  測定データ処理用プログラム
Ｌａ〜Ｌｉ  コードラベル
Ｎ  通信ネットワーク
Ｐａ，Ｐｂ・・  位置
Ｘａ〜Ｘｉ  ブレーカ
Ｙ  配電盤
【図１】
0006556469.tif 000002
【図２】
0006556469.tif 000003
【図３】
0006556469.tif 000004
【図４】
0006556469.tif 000005
【図５】
0006556469.tif 000006
【図６】
0006556469.tif 000007
【図７】
0006556469.tif 000008
【図８】
0006556469.tif 000009
【図９】
0006556469.tif 000010
【図１０】
0006556469.tif 000011
【図１１】
0006556469.tif 000012
【図１２】
0006556469.tif 000013
【図１３】
0006556469.tif 000014
【図１４】
0006556469.tif 000015
【図１５】
0006556469.tif 000016